(57)【特許請求の範囲】
【請求項１】
釣竿の竿体先端に配置される穂先に設けられ、釣糸が取り付けられる釣糸取付具であって、
前記穂先に嵌合して固定される嵌合部と、
前記嵌合部の先端側に配置された基部と、
前記基部の先端側に配置され、前記基部および前記穂先よりも径が小さく、結索された前記釣糸の輪が周囲で自由に回転可能となる釣糸結索部と、
前記釣糸結索部の先端に配置され前記基部とほぼ同じ外径であり前記釣糸結索部に隣接する側の角部に丸みが付けられた略円筒形状を有する膨出部と、
を備え、
前記嵌合部と前記基部と前記釣糸結索部と前記膨出部とは一体に形成されている、
釣糸取付具。
【請求項２】
前記嵌合部が、前記穂先の先端内面に嵌合される突起状嵌合部であり、
前記基部が、前記穂先の先端外径と同径である
請求項１に記載の釣糸取付具。
【請求項３】
前記嵌合部が、前穂先の先端外面に嵌合される長筒状嵌合部であり、
前記基部が、前記長筒状嵌合部の外径と同径である
請求項１に記載の釣糸取付具。
【請求項４】
先端に穂先を有する竿体と、
前記穂先に嵌合された請求項１〜３の釣糸取付具と
を備える釣竿。
【発明の詳細な説明】
【０００１】
【発明の属する技術分野】
本発明は、釣竿の穂先に設けられて釣糸が取り付けられる釣糸取付具と、このような釣糸取付具を備えた釣竿に関する。
【０００２】
【従来の技術】
釣竿には、釣糸が巻かれたリールを用いるもののほかに、釣糸を穂先の先端に直接に取り付ける構造のものがある。例えば、鮎釣りなどの渓流釣り用の釣竿やヘラブナ釣り用の釣竿に、前記のような構造のものが使われている。
穂先への釣糸の取付構造としては、繊維を編組して作製された柔軟な筒状のリリアンと呼ばれる部材を穂先の先端に取り付け、このリリアンの先端に釣糸を結び付けたり接着したりすることが行われている。魚釣り中に釣糸に力が加わるとリリアンが力の加わった方向へと柔軟に変形するので、釣糸の撚れや絡み、特に釣糸が釣竿に絡むのを防ぐことができる。
【０００３】
さらに、前記リリアンを、穂先に回転自在に取り付けておき、釣糸に加わる力の方向にリリアンが回転することによって、釣糸の撚れや絡みをより確実に防ぐことも行われている。
実開平１−１７８３７１号公報には、穂先の外周に設けられた複数の糸止め突起の間で穂先に釣糸を巻き付けておく技術が示されている。
【０００４】
【発明が解決しようとする課題】
しかし、前記のように柔軟なリリアンが穂先に取り付けられていると、魚のアタリ等の感度が釣竿の手元側に敏感に伝わり難いという問題がある。
さらに、前記した回転リリアンは、リリアンと穂先との回転部分に存在する隙間のために、竿を振ったりしたときに、回転部分で「カチャカチャ」というような衝突音あるいは振動音が発生し、耳障りである。
【０００５】
前記実開平１−１７８３７１号の技術は、穂先の外周に突起が大きく膨れているので外観的に目障りであるとともに、釣糸が突起に引っ掛かって釣糸の動作を阻害する可能性がある。特に、釣糸を巻き付けた個所よりも竿元側に配置された突起は、釣竿に沿って竿元側へと延びる釣糸が引っ掛かり易い。
本発明の目的は、釣糸の撚れや絡みを良好に防止できるとともに感度も良好な釣竿を提供することにある。
【０００６】
【課題を解決するための手段】
本発明の釣糸取付具は、釣竿の竿体先端に配置される穂先に設けられ、釣糸が取り付けられる釣糸取付具であり、嵌合部と基部と釣糸結索部と膨出部とを備える。嵌合部は穂先に嵌合して固定される。基部は嵌合部の先端側に配置される。釣糸結索部は基部の先端側に配置され基部よりも径が小さく、結索された釣糸の輪が周囲で自由に回転可能となる。膨出部は釣糸結索部の先端に配置され基部とほぼ同じ外径であり釣糸結索部に隣接する側の角部に丸みが付けられた略円筒形状を有する。また、嵌合部と基部と釣糸結索部と膨出部とは一体に形成されている。
【０００７】
釣竿の全体構造あるいは竿体の構造は、通常の釣竿と同様の構造が採用される。竿体は竿元側から竿先側までが１本の棒状体からなるもののほか、複数本の管状をなす竿部材が順次連結されるものがある。複数の竿部材が入れ子式に嵌め込まれてあって各竿部材を順次引き出して使用するものもある。竿体の最先端の竿部材に穂先が配置される。
【０００８】
釣糸取付具は、合成樹脂、金属、セラミック、ゴムその他の構造材料で作製される。釣糸取付具は、嵌合部、基部、釣糸結索部および膨出部が全て一体成形されてあってもよいし、複数の部材から組み立てられるものでもよい。
嵌合部は、釣糸取付具を竿体に取り付けるための構造であり、穂先の外周に嵌合される筒状のものであってもよいし、管状をなす穂先の内部に嵌合される突起状のものであってもよい。嵌合部は、穂先に対して強固に取り付けられ、釣糸から力が加わっても釣糸取付具が変形したり抜け落ちない程度の長さを有するものが好ましい。嵌合部の長さ方向に沿って穂先との嵌合面に凹凸があれば、釣糸取付具が抜け落ち難い。長筒状嵌合部は、穂先に取り付けた状態で釣糸が引っ掛かり難いように外周面が平坦なものが好ましく、長筒状嵌合部の長さを充分に確保しておくことが好ましい。具体的には、長筒状嵌合部の長さを外径の数倍程度に設定しておくのが好ましい。長筒状嵌合部の外径を後端側に向かって細くして長筒状嵌合部の後端縁で穂先の外形との間に大きな段差が生じないようにしておくことができる。
【０００９】
基部は、嵌合部で穂先に嵌合された釣糸取付具の位置決め部材となる。嵌合部が突起状嵌合部の場合、突起状嵌合部よりも基部の外径が大きく、基部の後端面が穂先に先端面に当接する。そして、基部の外形が穂先の外形と滑らかにつながっているのが好ましい。嵌合部が長筒状嵌合部の場合、長筒状嵌合部の外形と基部の外形とが滑らかにつながっているのが好ましい。また、釣糸結索部に隣接する側の基部の角には、釣糸が引っ掛かり難いように丸みを付けておくことが好ましい。
【００１０】
釣糸結索部は、基部および穂先よりも径が小さいが、釣糸を結索し易く、釣糸から加わる力に充分に耐え得る程度の太さを有しているのが好ましい。釣糸結索部の長さは、釣糸の結索作業が行える程度の長さがあればよい。釣糸結索部への釣糸の結索は、釣糸結索部の周囲に釣糸を巻き付けて輪を作るようにすればよい。釣糸の輪が釣糸結索部の周囲で自由に回転できるようにしておくことができる。
【００１１】
膨出部は、釣糸結索部よりも径が大きく、釣糸結索部に結索された釣糸が抜け落ちない程度の大きさを有しているのが好ましい。膨出部の外形は、釣糸が引っ掛からないような滑らかな形状が好ましい。
【００１２】
【発明の実施の形態】
図１に示す釣竿は、複数の竿部材１２が順次連結されてなる竿体１０と、竿体１０の穂先１４に配置された釣糸取付具３０と、釣糸取付具３０に取り付けられた釣糸２０とを有している。
図２に示すように、釣糸取付具３０は、穂先１４の内部に嵌入される突起状嵌合部３８を有する。
【００１３】
突起状嵌合部３８は、軸方向の途中の複数個所に周溝３９が設けられている。周溝３９を有することで突起状嵌合部３８が穂先１４に強固に嵌合される。
突起状嵌合部３８の先端側には基部３２を有する。基部３２の端面は穂先１４の先端面に当接し、基部３２の外径は穂先１４の外径と一致する。穂先１４の外面から基部３２の外面へと滑らかにつながっている。
【００１４】
基部３２の先端側には釣糸結索部３４を有する。基部３２のうち、釣糸結索部３４に隣接する面の外周角部は丸みが付けられている。釣糸結索部３４の外径は基部３２の外径よりも小さい。釣糸結索部３４には釣糸２０が結索されている。具体的には、釣糸結索部３４の周囲に釣糸２０を巻きつけて輪２１を作り、釣糸２０の端部を固定している。釣糸２０の輪２１は釣糸結索部３４の外周で自由に回転できるように取り付けられている。
【００１５】
釣糸結索部３４の先端側には膨出部３６を有する。膨出部３６の外径は基部３２の外径とほぼ同じである。膨出部３６のうち釣糸結索部３４に隣接する側の角部には丸みが付けられている。
釣糸結索部３４に取り付けられた釣糸２０の輪２１は、釣糸結索部３４の回りで自由に回転するので、釣糸２０が釣糸結索部３４に絡みついたり釣糸２０が撚れるのを防止できる。釣糸結索部３４は、前後を基部３２と膨出部３６とで規制されているので、釣糸２０が釣糸取付具３０から抜け落ちるのが防止できる。釣糸２０は竿体１０に沿って延びるが、釣糸取付具３０の基部３２から穂先１４の外周面は滑らかにつながっているので、釣糸が竿体１０に絡みつくことも防がれる。
【００１６】
〔別の実施形態〕
図３に示すように、釣糸取付具３０には長筒状嵌合部１３８を有する。
長筒状嵌合部１３８は穂先１４の外周に嵌合される。穂先１４に嵌合される長筒状嵌合部１３８の長さは外径の約４、５倍程度ある。
長筒状嵌合部１３８の先端側には基部３２、釣糸結索部３４、膨出部３６を有するが、これらの構造は、前記図２の実施形態と共通するので説明を省略する。
【００１７】
【発明の効果】
本発明にかかる釣糸取付具は、嵌合部を穂先に取り付けた状態で、基部と膨出部との間の釣糸結索部に釣糸を結索しておくことで、釣竿の感度や調子を損なうことなく、釣糸の撚れや絡みを良好に防止することができる。特に、穂先よりも径の小さな釣糸結索部に釣糸を結索しておくので、釣糸の取付構造部分が穂先の外周に大きく張り出すことがなく、釣糸が引っ掛かり難くなる。
【図面の簡単な説明】
【図１】本発明の実施形態を表す釣竿の全体構造図
【図２】釣糸取付具の取付状態を表す穂先部分の拡大断面図
【図３】別の実施形態を表す穂先部分の拡大断面図
【符号の説明】
１０    竿体
１４    穂先
２０    釣糸
３０    釣糸取付具
３２    基部
３４    釣糸結索部
３６    膨出部
３８、１３８  嵌合部
【図１】
0003789524.tif 000002
【図２】
0003789524.tif 000003
【図３】
0003789524.tif 000004